(57)【要約】【課題】構成部品数を少なくして、コンパクトでかつ安価に製作することができるとともに、持ち運びにも便利で、家庭で気軽に使える回動式の飲料容器スタンドを提供する。【解決手段】胴部４を有する有底の飲料容器３をその口部５を上にして上方から受け入れる保持空所６を備えるホルダ本体１と、このホルダ本体１をその上部において回動ピン１２を介して水平軸回りに一対の支持板１４，１４間に回動自在に支持する支持台２とからなり、ホルダ本体は、飲料容器の底部を受ける底部受け水平板７と、その上方に位置し、底部１０から飲料容器全体の高さの少なくとも１／３以上の高さに位置する胴部分を受ける胴部受け水平板８とにより飲料容器を略直立状態に保持してなり、両水平板７、８は連結部材９によって上下方向に連結する構成とする。【選択図】図１
0003111185.tif 000002
【実用新案登録請求の範囲】
【請求項１】
胴部を有する有底の飲料容器をその口部を上にして上方から受け入れる保持空所を備えるホルダ本体と、このホルダ本体をその上部において回動ピンを介して水平軸回りに支持板間に回動自在に支持する支持台とからなり、ホルダ本体は、飲料容器の底部を受ける底部受け水平板と、その上方に位置し、底部から飲料容器全体の高さの少なくとも１／３以上の高さに位置する胴部分を受ける胴部受け水平板とにより飲料容器を略直立状態に保持してなり、両水平板は連結部材によって上下方向に連結されてなることを特徴とする飲料容器スタンド。
【請求項２】
底部受け水平板には飲料容器の底部が嵌め合わされる凹所が設けられていることを特徴とする請求項１記載の飲料容器スタンド。
【請求項３】
各支持板には、取っ手用の貫通穴が設けられていることを特徴とする請求項１または請求項２記載の飲料容器スタンド。
【請求項４】
底部受け水平板および胴部受け水平板はともに平面視八角形状とされ、支持板に対して上から見て斜辺となる面のそれぞれに連結部材が取付けられていることを特徴とする請求項１ないし請求項３記載の飲料容器スタンド。
【請求項５】
回動ピンは木製ピンからなるとともに、各支持板は木ねじまたは木製釘によって支持台の台板上面に取り付けられてなることを特徴とする請求項１ないし請求項４記載の飲料容器スタンド。
【請求項６】
胴部を有する有底の飲料容器をその口部を上にして上方から受け入れる保持空所を備える複数のホルダ本体と、この複数のホルダ本体を並べてそれぞれの上部において回動ピンを介して水平軸回りに支持板間に回動自在にそれぞれを支持する支持台とからなり、各ホルダ本体は、飲料容器の底部を受ける底部受け水平板と、その上方に位置し、底部から飲料容器全体の高さの少なくとも１／３以上の高さに位置する胴部分を受ける胴部受け水平板とにより飲料容器を略直立状態に保持し、両水平板は連結部材によって上下方向に連結されてなることを特徴とする飲料容器スタンド。
【考案の詳細な説明】
【技術分野】
【０００１】
本考案は、一升瓶のような細口瓶や比較的大き目のペットボトル容器などの飲料容器を傾けて、酒や飲料水を枡、コップ、湯飲み等に楽に注ぐことができるようにした飲料容器スタンドに関する。
【背景技術】
【０００２】
一升瓶に入った酒をコップに注ぐには、一升瓶を両手で持って傾けつつ注ぐようにするのが普通である。両手で持つ理由は、一升瓶（１．８リットル入り）は、片手で持つには重たすぎるし、また、片手で持つには大きすぎるからである。このため、重くて大きい一升瓶を傾けるに際しては、小さいコップから酒があふれてこぼれないように、あるいはコップを倒さないように細心の注意を払いながら注ぐ必要がある。ところが、お年寄りや握力等の弱い人にかぎらず、一升瓶から楽にコップに注ぐことができれば、酒を飲む楽しみが倍増する。これは、一升瓶だけでなく、比較的大き目のペットボトル容器（１．５リットル入りや２リットル入りなど）や紙パック容器（１．８リットルなど）についても、同様のことが言える。
【０００３】
一升瓶等から酒を容易に注ぐことができるようにしたものが知られている（特許文献１参照）。この装置は、一升瓶等を倒立させた状態で、升やコップ等に酒を注ぐものであり、倒立状態の一升瓶等の注ぎ口を覆う有底筒形状の酒貯留器と、この酒貯留器に接続されるとともに先端に開閉コックを備えたノズルと、一升瓶等の倒立姿勢を規制するストッパーとを具備している。
【０００４】
【特許文献１】実用新案登録第３０８１２１８号公報
【考案の開示】
【考案が解決しようとする課題】
【０００５】
しかしながら、上記の装置によると、酒貯留器と、先端に開閉コックを備えたノズルと、ストッパーとを具備する結果、種々の利点は備えるものの、部品点数が多くなって、製作コストが高くつく課題がある。また、酒貯留器などの存在により、装置全体が大型化しやすく、持ち運びに不便さが残る課題もある。
【０００６】
本考案は上記問題点に鑑みてなされたもので、構成部品数を少なくして、コンパクトでかつ安価に製作することができるとともに、持ち運びにも便利で、家庭で気軽に使える回動式の飲料容器スタンドを提供することを目的とする。
【課題を解決するための手段】
【０００７】
上記課題を解決するために、本考案の請求項１に係る飲料容器スタンドは、胴部を有する有底の飲料容器をその口部を上にして上方から受け入れる保持空所を備えるホルダ本体と、このホルダ本体をその上部において回動ピンを介して水平軸回りに一対の支持板間に回動自在に支持する支持台とからなり、ホルダ本体は、飲料容器の底部を受ける底部受け水平板と、その上方に位置し、底部から飲料容器全体の高さの少なくとも１／３以上の高さに位置する胴部分を受ける胴部受け水平板とにより飲料容器を略直立状態に保持してなり、両水平板は連結部材によって上下方向に連結されてなることを特徴とする。
【０００８】
構成部品が少なくなり、コンパクトでかつ安価に製作できる回動式の飲料容器スタンドを得ることができる。ホルダ本体下面と支持台との間の隙間を、ホルダ本体が回動中に支持台上面に当接しない程度の最小の隙間にすることができ、スタンド全体を低くコンパクトにすることができる。
【０００９】
また、これにより、飲料容器を低く保持するとともに、飲料容器の底部とそこから飲料容器全体の少なくとも１／３以上の高さに位置する胴部分の２箇所を、底部受け水平板と胴部受け水平板とによって保持するから、飲料容器を安定した姿勢で保持することができる。
【００１０】
また、飲料容器スタンドを間に置いて、相対する姿勢で複数人でお酒等を飲む場合には、飲料容器を両側に傾けることができるから、どちらからでも、お酒等をコップ等に注ぐことができる。
【００１１】
本考案の請求項２に係る飲料容器スタンドは、底部受け水平板に飲料容器の底部を嵌め合わせる凹所を設けたことを特徴とする。
【００１２】
凹所に飲料容器の底部を嵌め合わせることにより、飲料容器をホルダ本体内に、より安定保持することができる。
【００１３】
本考案の請求項３に係る飲料容器スタンドは、各支持板に取っ手用の貫通穴を設けたことを特徴とする。
【００１４】
各支持板に取っ手用の貫通穴を設けたことにより、持ち運びがしやすくなる。
【００１５】
本考案の請求項４に係る飲料容器スタンドは、胴部受け水平板および底部受け水平板をともに平面視八角形状とし、支持板に対して上から見て斜辺となる面のそれぞれに連結部材を取付けたことを特徴とする。
【００１６】
斜辺となる面のそれぞれに取付けた連結部材間の隙間から、飲料容器のラベル等を見て、お酒の銘柄や中身を確認することができ、便利である。
【００１７】
本考案の請求項５に係る飲料容器スタンドは、回動ピンを木製ピンとするとともに、各支持板を木ねじまたは木製釘によって支持台の台板上面に取り付けたことを特徴とする。
【００１８】
木製品としての価値をより向上させることができ、民芸品としても好適となる。
【００１９】
本考案の請求項６に係る飲料容器スタンドは、胴部を有する有底の飲料容器をその口部を上にして上方から受け入れる保持空所を備える複数のホルダ本体と、この複数のホルダ本体を並べてそれぞれの上部において回動ピンを介して水平軸回りに支持板間に回動自在にそれぞれを支持する支持台とからなり、各ホルダ本体は、飲料容器の底部を受ける底部受け水平板と、その上方に位置し、底部から飲料容器全体の高さの少なくとも１／３以上の高さに位置する胴部分を受ける胴部受け水平板とにより飲料容器を略直立状態に保持してなり、両水平板は連結部材によって上下方向に連結されてなることを特徴とする。
【００２０】
好みの複数種類の飲料容器を各ホルダ本体に保持させることができ、好みに応じていずれか一方の飲料容器を傾けて飲料をコップ等に注ぐことができる。
【考案の効果】
【００２１】
以上説明したように、本考案によると、構成部品を少なくして、コンパクトでかつ安価に製作できる回動式の飲料容器スタンドを実現することができる効果を奏する。また、持ち運びにも便利で、家庭で気軽に使える飲料容器スタンドを得ることができる。
【考案を実施するための最良の形態】
【００２２】
本考案の飲料容器スタンドの第１の実施形態について、図１ないし図６を参照して以下説明する。本考案の飲料容器スタンドは、図１に示すように、ホルダ本体１と、支持台２とから構成されている。
【００２３】
ホルダ本体１は、胴部４を有する有底の飲料容器である一升瓶（焼酎瓶）３をその口部５を上にして上方から受け入れる保持空所６を備えるもので、底部受け水平板７と、その上方に位置する環状の胴部受け水平板８と、両水平板７，８を上下に連結する複数の連結部材９とから構成されている。
【００２４】
底部受け水平板７の上面から胴受け水平板８の上面までの高さＨ１は、一升瓶４全体の高さＨ２の少なくとも１／３以上とされており（図５参照）、一升瓶４を下方の底部受け水平板７と上方の胴部受け水平板８とによって安定保持するようになっている。
【００２５】
環状の胴部受け水平板８の中央には一升瓶４を上方から挿入して受け入れるための円形の挿入穴８ａが上下に貫通し、底部受け水平板７にも挿入穴８ａの中心軸線上に位置する貫通穴７ａが上下に貫通している。貫通穴７ａはその内径Ｄ１が一升瓶４の胴部における外径Ｄ２よりも若干小さい寸法とされ、一升瓶４の胴部３から円弧部１０ａを介して続く底部１０が嵌め合わされる凹所を形成する。
【００２６】
両水平板、すなわち、底部受け水平板７と胴部受け水平板８とは、図３に示すように、ともに上から見て平面視八角形状とされ、それら両水平板７，８どうしが、連結部材９によって互いに連結されている。この連結部材９は、後述する支持台２の支持板１４に対して上から見て斜辺となる４箇所の側面のそれぞれにおいて、合計４本の連結部材９が、取付ピン１１によって下端が底部受け水平板７側に、上端が胴部受け水平板８側に取付けられている。
【００２７】
支持台２は、ホルダ本体１をその上部において回動ピン１２を介して水平軸回りに一対の支持板１４間に回動自在に支持するもので、台板１３と、この台板１３の上面に垂直に木ねじ１５によって取付けられた一対の支持板１４、１４とから構成されている。一対の支持板１４，１４間にはホルダ本体１が配置される。ホルダ本体１の胴部受け水平板８の相対する両側面のそれぞれには木製の回動ピン１２が固着されている。これに対応して、支持板１４，１４の内面上部のそれぞれには相対する回動ピン１２を回動自在に軸支する軸受け穴１６が設けられている。これにより、ホルダ本体１は、支持板１４，１４に対して回動ピン１２を介して回動自在に支持されている。
【００２８】
回動ピン１２は、図２に示すように、円環状の金属製の座金１７を通して軸受け穴１６に軸支されており、この座金１７によって胴部受け水平板８の側面と支持板１４の内面が互いに非接触とされて、振り子のように、ホルダ本体１を軽い力で回動させることができるようになっている。
【００２９】
支持板１４の底面から上面までの高さは、少なくともホルダ本体１の底面から上面までの高さよりも大きい寸法であり、ホルダ本体１の底面と台板１３の上面との間にはホルダ本体１の回動時にホルダ本体１が台板１３の上面に当接しない程度の隙間Ｓが形成されている。また、支持板１４には丸形の取っ手用の貫通穴１８が設けられている。
【００３０】
以上のように構成されたホルダ本体１および支持台２はいずれも木製からなり、実用性と見た目の美しさを兼ね備えている。
【００３１】
つぎに飲料容器スタンドの使用態様について説明する。まず、図５に示すように、一升瓶（焼酎瓶）３を口部５を上にしてホルダ本体１に挿入保持させる。一升瓶３をホルダ本体１に保持させた状態では、一升瓶３は安定した直立状態が維持される。この状態から、一升瓶３の口部５の栓を外し、図６に示すように、片手で一升瓶３の首部をもって傾けるように回動させ、もう一方の手に持ったコップに酒を注ぐ。あるいはテーブル上に置いたコップに酒を注ぐ。軽い力で一升瓶３を傾けることができるから、一升瓶３を傾ける角度、角度の維持の微調整が利き、コップから酒をこぼさずにすむ。
【００３２】
上記した実施形態では、一升瓶として焼酎瓶を使用したが、清酒瓶であってもよい。また、醤油瓶から醤油を小分けする場合にも適用することができる。さらに、ワインボトルの場合は、ワインボトルの高さおよび胴部の外径の各寸法から、ホルダ本体１および支持台２を新たに設計して製作するようにする。大形（１リットル、１．５リットル、２リットルなど）のペットボトル容器や紙パック容器の場合も、ペットボトル容器、紙パック容器のそれぞれの高さおよび胴部の外径の各寸法から、ホルダ本体１および支持台２をそれぞれ設計して製作する。
【００３３】
図７は、本考案の飲料容器スタンドの第２の実施形態を示すものである。本実施形態においては、２つのホルダ本体１、１を並列して、異なる２種類の複数の一升瓶３，３を並べて保持できるようにしたものである。
【００３４】
すなわち、図７に示すように、第１の実施形態に示す支持台２の台板１３の約２倍の長さをもつ台板１３’の上に等間隔に３つの支持板１４，１４，１４がそれぞれ垂直に取付けられている。隣接する支持板１４，１４間にホルダ本体１が回動自在に支持され、合計２つのホルダ本体１，１が並んでいる。使用者は、好みの２種類の酒（焼酎の２種類あるいは焼酎と清酒の組み合わせ等）の一升瓶を各ホルダ本体１に保持させることができ、好みに応じていずれか一方の一升瓶を傾けて手軽にコップに酒を注ぐことができる。なお、３つ以上のホルダ本体１を並列するようにしてもよい。
【産業上の利用可能性】
【００３５】
本考案の飲料容器スタンドは、家庭用に限らず、飲食店においても使用することができる。
【図面の簡単な説明】
【００３６】
【図１】本考案の第１の実施形態を示す飲料容器スタンドの斜視図、
【図２】同飲料容器スタンドの一部を断面視した正面図、
【図３】同飲料容器スタンドの一部を断面視した平面図、
【図４】同飲料容器スタンドの側面図、
【図５】同飲料容器スタンドに一升瓶を挿入配置した状態を示す縦断面図、
【図６】同飲料容器スタンドの使用状態を示す作用図、
【図７】本考案の第２の実施形態を示す飲料容器スタンドの正面図である。
【符号の説明】
【００３７】
１  ホルダ本体
２  支持台
３  一升瓶（飲料容器）
４  胴部
５  口部
６  保持空所  
７  底部受け水平板
７ａ  貫通穴
８  胴部受け水平板
８ａ  挿入穴
９  連結部材
１０  底部
１０ａ  円弧部
１１  取付ピン
１２  回動ピン
１３，１３’  台板
１４  支持板
１５  木ねじ
１６  軸受け穴
１８  座金
１８  貫通穴
【図１】
0003111185.tif 000003
【図２】
0003111185.tif 000004
【図３】
0003111185.tif 000005
【図４】
0003111185.tif 000006
【図５】
0003111185.tif 000007
【図６】
0003111185.tif 000008
【図７】
0003111185.tif 000009